(57)【要約】【課題】同乗者全員の購入金額を適切かつ簡便に集計して駐車料金を計算する。【解決手段】実施形態の駐車場管理システムは、駐車場を管理する。発券部は、識別ＩＤ発行部により発行された識別ＩＤが付与されている利用券を人数入力部により入力された同乗者人数分だけ発券する。識別ＩＤ読み取り部は、車両の同乗者が所定の商業施設内で商品を購入した際にその同乗者が所持する利用券から識別ＩＤを読み取る。記憶部は、前記識別ＩＤ読み取り部により読み取られた識別ＩＤとその識別ＩＤが読み取られた際に購入された商品の購入金額とを対応付けて記憶する。精算指示部は、前記車両の駐車料金の精算を識別ＩＤとともに指示する。駐車料金計算部は、前記精算指示部により指示された識別ＩＤをキーにして前記記憶部から同乗者全員の購入金額を抽出し、抽出した同乗者全員の購入金額に基づいて前記車両の駐車料金を計算する。【選択図】図１
2012053820.tif 000002
【特許請求の範囲】
【請求項１】
駐車場を管理する駐車場管理システムであって、
一意な識別ＩＤを発行する識別ＩＤ発行部と、
車両の同乗者人数を入力する人数入力部と、
前記識別ＩＤ発行部により発行された識別ＩＤが付与されている利用券を前記人数入力部により入力された同乗者人数分だけ発券する発券部と、
前記車両の同乗者が所定の商業施設内で商品を購入した際にその同乗者が所持する利用券から識別ＩＤを読み取る識別ＩＤ読み取り部と、
前記識別ＩＤ読み取り部により読み取られた識別ＩＤとその識別ＩＤが読み取られた際に購入された商品の購入金額とを対応付けて記憶する記憶部と、
前記車両の駐車料金の精算を識別ＩＤとともに指示する精算指示部と、
前記精算指示部により指示された識別ＩＤをキーにして前記記憶部から同乗者全員の購入金額を抽出し、抽出した同乗者全員の購入金額に基づいて前記車両の駐車料金を計算する駐車料金計算部と、
を備えることを特徴とする駐車場管理システム。
【請求項２】
更に、前記車両の撮影画像から車両番号を画像認識して読み取る画像認識部を備え、
前記識別ＩＤ発行部は、前記画像認識部により読み取られた車両番号に基づいて一意な識別ＩＤを発行することを特徴とする請求項１記載の駐車場管理システム。
【請求項３】
前記発券部は、電子化された利用券を発行して前記車両の同乗者のそれぞれが所持する携帯端末に送信することを特徴とする請求項１記載の駐車場管理システム。
【請求項４】
駐車場を管理する駐車場管理方法であって、
一意な識別ＩＤを発行する識別ＩＤ発行ステップと、
車両の同乗者人数を入力する人数入力ステップと、
前記識別ＩＤ発行ステップで発行された識別ＩＤが付与されている利用券を前記人数入力ステップで入力された同乗者人数分だけ発券する発券ステップと、
前記車両の同乗者が所定の商業施設内で商品を購入した際にその同乗者が所持する利用券から識別ＩＤを読み取る識別ＩＤ読み取りステップと、
前記識別ＩＤ読み取りステップで読み取られた識別ＩＤとその識別ＩＤが読み取られた際に購入された商品の購入金額とを対応付けて記憶部に記憶する記憶ステップと、
前記車両の駐車料金の精算を識別ＩＤとともに指示する精算指示ステップと、
前記精算指示ステップで指示された識別ＩＤをキーにして前記記憶部から同乗者全員の購入金額を抽出し、抽出した同乗者全員の購入金額に基づいて前記車両の駐車料金を計算する駐車料金計算ステップと、
を備えることを特徴とする駐車場管理方法。
【請求項５】
駐車場を管理するための駐車場管理プログラムであって、
一意な識別ＩＤを発行する識別ＩＤ発行ステップと、
車両の同乗者人数を入力する人数入力ステップと、
前記識別ＩＤ発行ステップで発行された識別ＩＤが付与されている利用券を前記人数入力ステップで入力された同乗者人数分だけ発券する発券ステップと、
前記車両の同乗者が所定の商業施設内で商品を購入した際にその同乗者が所持する利用券から識別ＩＤを読み取る識別ＩＤ読み取りステップと、
前記識別ＩＤ読み取りステップで読み取られた識別ＩＤとその識別ＩＤが読み取られた際に購入された商品の購入金額とを対応付けて記憶部に記憶する記憶ステップと、
前記車両の駐車料金の精算を識別ＩＤとともに指示する精算指示ステップと、
前記精算指示ステップで指示された識別ＩＤをキーにして前記記憶部から同乗者全員の購入金額を抽出し、抽出した同乗者全員の購入金額に基づいて前記車両の駐車料金を計算する駐車料金計算ステップと、
をコンピュータに実行させるための駐車場管理プログラム。
【発明の詳細な説明】
【技術分野】
【０００１】
本発明の実施形態は、駐車場を管理する駐車場管理システム、駐車場管理方法、及び駐車場管理プログラムに関する。
【背景技術】
【０００２】
商業施設の駐車場では、購入金額に応じて駐車料金の割引を行うことが一般的に行われている。その際の購入金額の証明には、レシートやクレジットカードで支払った金額等が利用されている。しかし、このような証明方法では、同乗者全員の購入金額を適切かつ簡便に集計して駐車料金を計算することは困難である。
【先行技術文献】
【特許文献】
【０００３】
【特許文献１】特開２００８−３０５０４８号公報
【発明の概要】
【発明が解決しようとする課題】
【０００４】
本発明が解決しようとする課題は、同乗者全員の購入金額を適切かつ簡便に集計して駐車料金を計算することができる駐車場管理システム、駐車場管理方法、及び駐車場管理プログラムを提供することである。
【課題を解決するための手段】
【０００５】
実施形態の駐車場管理システムは、駐車場を管理する。識別ＩＤ発行部は、一意な識別ＩＤを発行する。人数入力部は、車両の同乗者人数を入力する。発券部は、前記識別ＩＤ発行部により発行された識別ＩＤが付与されている利用券を前記人数入力部により入力された同乗者人数分だけ発券する。識別ＩＤ読み取り部は、前記車両の同乗者が所定の商業施設内で商品を購入した際にその同乗者が所持する利用券から識別ＩＤを読み取る。記憶部は、前記識別ＩＤ読み取り部により読み取られた識別ＩＤとその識別ＩＤが読み取られた際に購入された商品の購入金額とを対応付けて記憶する。精算指示部は、前記車両の駐車料金の精算を識別ＩＤとともに指示する。駐車料金計算部は、前記精算指示部により指示された識別ＩＤをキーにして前記記憶部から同乗者全員の購入金額を抽出し、抽出した同乗者全員の購入金額に基づいて前記車両の駐車料金を計算する。
【図面の簡単な説明】
【０００６】
【図１】一実施形態に係る駐車場管理システムの構成を示すブロック図である。
【図２】一実施形態に係る駐車場管理システムの構成を示すブロック図である。
【図３】一実施形態に係る利用券を示す図である。
【図４】一実施形態に係る車両データを示す図である。
【図５】一実施形態に係る駐車料金精算データを示す図である。
【図６】一実施形態に係る購入履歴データを示す図である。
【図７】一実施形態に係る駐車料金マスタを示す図である。
【図８】一実施形態に係る中央処理制御装置の動作を示すフローチャートである。
【図９】一実施形態に係る中央処理制御装置の動作を示すフローチャートである。
【図１０】一実施形態に係る駐車場管理装置のハードウェア構成を示す図である。
【発明を実施するための形態】
【０００７】
以下、実施形態につき図面を参照して説明する。
【０００８】
図１は、一実施形態に係る駐車場管理システム１の構成を示すブロック図である。この駐車場管理システム１は、駐車場を管理するシステムであって、機能的には、画像認識部３１と、識別ＩＤ発行部３２と、人数入力部３３と、発券部３４と、識別ＩＤ読み取り部３５と、記憶部３６と、精算指示部３７と、駐車料金計算部３８と、精算部３９とを備えている。
【０００９】
画像認識部３１は、車両（例えば自動車）の撮影画像から車両番号を画像認識して読み取る。識別ＩＤ発行部３２は、画像認識部３１により読み取られた車両番号に基づいて一意な識別ＩＤを発行する。人数入力部３３は、車両の同乗者人数を入力する。発券部３４は、識別ＩＤ発行部３２により発行された識別ＩＤが付与されている利用券Ｔを人数入力部３３により入力された同乗者人数分だけ発券する。識別ＩＤ読み取り部３５は、車両の同乗者が所定の商業施設内で商品を購入した際にその同乗者が所持する利用券Ｔから識別ＩＤを読み取る。記憶部３６は、識別ＩＤ読み取り部３５により読み取られた識別ＩＤとその識別ＩＤが読み取られた際に購入された商品の購入金額とを対応付けて記憶する。精算指示部３７は、車両の駐車料金の精算を識別ＩＤとともに指示する。駐車料金計算部３８は、精算指示部３７により指示された識別ＩＤをキーにして記憶部３６から同乗者全員の購入金額を抽出し、抽出した同乗者全員の購入金額に基づいて車両の駐車料金を計算する。精算部３９は、駐車料金計算部３８により計算された駐車料金の精算を行う。ここでは、車両番号に基づいて識別ＩＤを発行することとしているが、一意な識別ＩＤを発行することができればよく、他の方法を採用してもかまわない。
【００１０】
以下、図２を用いて駐車場管理システム１の構成をより具体的に説明する。この図に示すように、駐車場管理システム１は、駐車場管理装置１０と、入口ゲート装置２１と、レジスタ装置２２と、携帯端末２３と、出口ゲート装置２４とを備えている。駐車場管理装置１０には、コンソール装置１１と、中央処理制御装置１２と、駐車料金マスタ１３と、車両データ１４，１７と、購入履歴データ１５と、駐車料金精算データ１６とが含まれる。入口ゲート装置２１と出口ゲート装置２４は駐車場に設置され、駐車場管理装置１０は駐車場の管理施設内に設置され、レジスタ装置２２は商業施設内に設置されているものとする。
【００１１】
コンソール装置１１は、駐車料金マスタ１３を作成（編集・登録）するための装置である。管理者は、コンソール装置１１の画面を見ながら駐車料金マスタ１３を作成する。作成された駐車料金マスタ１３はコンソール装置１１から中央処理制御装置１２に送信される。
【００１２】
入口ゲート装置２１は、車両の入場を制限するゲートバーを備えている。車両が入場する際にカメラで車両を撮影し、その撮影画像から車両の車両番号を画像認識機能で読み取る。読み取った車両番号を中央処理制御装置１２に送信し、中央処理制御装置１２から返信された車両データ１４を受信する。利用客が入口ゲート装置２１の同乗者人数入力キーを押下すると、その同乗者人数を表示するとともに、識別ＩＤを付与した利用券Ｔをその同乗者人数分だけ発券する。例えば、同乗者人数が３人である場合は、図３に示すように、３枚の利用券Ｔ１〜Ｔ３が発券される。利用券Ｔ１〜Ｔ３には、同一の車両番号（○×○×）と同一の識別ＩＤ（１２３）が印字されている。利用券Ｔ１には枝番１が、利用券Ｔ２には枝番２が、利用券Ｔ３には枝番３がそれぞれ印字されている。もちろん、識別ＩＤや枝番はバーコードでもよい。このように複数枚の利用券Ｔを発券した際はその枚数情報を中央処理制御装置１２に送信する。利用客が利用券Ｔを受け取るとゲートバーを開放する。
【００１３】
レジスタ装置２２は、利用客が商業施設内で商品を購入する際に提示した利用券Ｔから識別ＩＤを読み取る。読み取った識別ＩＤとともに商品の購入内容を購入履歴データ１５として中央処理制御装置１２に送信する。利用券Ｔは同乗者用に複数枚発券されているため、複数の利用客が同時に別の店舗で商品を購入する場合でも、店員がレジスタ装置２２にて利用券Ｔの識別ＩＤを読み取り、購入履歴データ１５を送信することができる。
【００１４】
中央処理制御装置１２は、駐車料金マスタ１３を受信して登録する機能、識別ＩＤを付与する機能、商業施設内での購入金額等を管理する機能、駐車料金マスタ１３や購入履歴データ１５から駐車料金を計算する機能を備えている。詳細については後述する。
【００１５】
携帯端末２３は、利用客が所持している携帯電話等である。携帯端末２３を用いて事前に駐車料金の精算を行うことができる。すなわち、利用券Ｔの識別ＩＤを携帯端末２３で入力または読み取ると、通信網を介して中央処理制御装置１２上の駐車料金精算機能と通信して駐車料金の精算を行う。利用客は、駐車料金の精算機能で駐車料金を確認した後、精算ボタンを押下して精算を行う。
【００１６】
出口ゲート装置２４は、車両の出場を制限するゲートバーを備えている。利用客が出口ゲート装置２４前に差し掛かるとカメラで車両を撮影し、その撮影画像から車両の車両番号を画像認識機能で読み取る。読み取った車両データ１７を中央処理制御装置１２に送信し、中央処理制御装置１２から返信された駐車料金精算データ１６を受信する。ここで、駐車料金精算データ１６の事前精算情報の状態が既に駐車料金精算済みまたは駐車料金が無料の場合はゲートバーを開放する。一方、駐車料金精算データ１６の事前精算情報の状態が未精算の場合は、出口ゲート装置２４の精算カウンターで駐車料金の精算が行われるまでゲートバーを開放しない。精算が完了すると、駐車料金精算データ１６の事前精算情報を精算済みに更新したデータを中央処理制御装置１２に送信する。
【００１７】
車両データ１４は、駐車車両を管理するデータである。例えば、図４に示すように、車両単位で識別ＩＤ、車両番号等のデータを有する。識別ＩＤは、利用券Ｔの発券時に発行される一意の番号である。車両番号は、画像認識機能で読み取られた車両の車両番号である。ここでは車両データ１４を例示しているが、車両データ１７の構成も同様である。
【００１８】
駐車料金精算データ１６は、駐車車両の精算データである。例えば、図５に示すように、車両単位で識別ＩＤ、枝番、入庫日時、出庫日時、車両番号、事前精算情報、駐車料金、精算日時、精算種別等のデータを有する。枝番は、利用券Ｔを複数枚発券した際に発券単位に付与する番号である。入庫日時は、入口ゲート装置２１を通過した日時である。出庫日時は、出口ゲート装置２４を通過した日時である。事前精算情報は、事前精算が済んでいるかどうかを判定する情報である。駐車料金は、精算時に計算された駐車料金である。精算日時は、精算が完了した日時である。精算種別は、精算時の支払い方法である。
【００１９】
購入履歴データ１５は、利用客が商業施設内で購入した商品の履歴を管理するデータである。例えば、図６に示すように、一連番号、識別ＩＤ、枝番、購入日時、購入金額、支払種別等のデータを有する。一連番号は、商品購入時に採番される番号である。識別ＩＤは、利用券Ｔに付与されている識別ＩＤである。枝番は、利用券Ｔに付与されている枝番である。購入日時は、商品を購入した日時である。購入金額は、商品を購入した金額である。支払種別は、支払い方法である。
【００２０】
駐車料金マスタ１３は、駐車料金を登録するためのマスタデータである。例えば、図７に示すように、適用日時、駐車時間、駐車料金、購入金額等のデータを有する。適用日時は、料金が適用される日時である。駐車時間は、駐車されていた時間である。駐車料金は、課金される料金である。購入金額は、商品を購入した金額である。
【００２１】
図８及び図９は、中央処理制御装置１２の動作を示すフローチャートである。以下、この図を用いて中央処理制御装置１２の構成を更に詳しく説明する。
【００２２】
まず、中央処理制御装置１２は、入口ゲート装置２１から車両番号を受信すると、識別ＩＤ、車両番号、入庫時間等を含んだ駐車料金精算データ１６を作成する（ステップＳ１）。次いで、駐車料金精算データ１６に含まれる車両データ（車両番号）を入口ゲート装置２１に送信する。入口ゲート装置２１で追加発券された利用券Ｔの枚数情報を入口ゲート装置２１から受信すると、駐車料金精算データ１６の枝番を発券枚数分繰り上げる（ステップＳ２）。レジスタ装置２２から購入履歴データ１５を受信すると、その購入履歴データ１５を記憶する（ステップＳ３）。携帯端末２３から識別ＩＤを受信すると、その識別ＩＤに対する駐車料金精算データ１６が存在するかどうかを確認し、存在した場合は駐車料金を計算する（ステップＳ４）。次いで、携帯端末２３から受信した識別ＩＤを元に駐車料金精算データ１６、購入履歴データ１５を抽出する。識別ＩＤ毎にデータを抽出するため、枝番分の購入履歴も抽出対象となり、同乗者全員の購入履歴を抽出することが可能である。また、レシートを紛失した場合でも購入履歴データ１５に購入履歴が登録されているため、その紛失分を集計対象に加算することができる（ステップＳ５）。次いで、算出した購入金額と駐車時間とに基づいて駐車料金を算出し、携帯端末２３に送信する（ステップＳ６）。駐車時間は、入庫時間と出庫予定時間（現在時間に一定の時間を足した時間）との差から算出することができる。携帯端末２３から駐車料金精算データ１６を受信すると、駐車料金精算データ１６の事前精算情報を精算済みに更新する（ステップＳ７）。出口ゲート装置２４から車両データ１７を受信すると、その車両データ１７に含まれる車両番号を元に駐車料金精算データ１６を抽出して出口ゲート装置２４に送信する（ステップＳ８）。駐車料金精算データ１６の事前精算情報が未精算の場合、出口ゲート装置２４で精算が完了した後、携帯端末２３から識別ＩＤを受信すると、事前精算情報を精算済みに更新する（ステップＳ９）。
【００２３】
以上説明した実施形態によれば、一意な識別ＩＤが付与されている利用券を同乗者人数分だけ発券するので、同乗者全員の購入金額を適切かつ簡便に集計して駐車料金を計算することができる。これにより、家族連れできた顧客が別々に商品を購入した場合でも同乗者全員の購入金額を集計することが可能となる。また、顧客登録をしていない一般の駐車場利用客の支払い分を購入金額として集計することが可能となる。更に、レシートを紛失してしまった場合でもその紛失分を購入金額として集計することが可能となる。加えて、この実施形態によれば、車両番号に基づいて識別ＩＤを発行することとしているので、車両ごとに一意な識別ＩＤを確実かつ簡便に発行することができる。
【００２４】
なお、実施形態では商品を購入する場合について説明したが、ここでいう商品にはサービスも含まれることとする。すなわち、所定の商業施設内でサービスを受けた際に料金を支払った場合は、その料金を購入金額に含めて集計することも可能である。
【００２５】
また、利用券Ｔの方式は磁気式でもＩＣカードに情報を格納する方式でもよく、特に限定されるものではない。例えば、発券部３４が電子化された利用券を発券し、車両の同乗者のそれぞれが所持する携帯端末２３に送信することも可能である。この場合の携帯端末２３には非接触ＩＣカードも含まれる。このような構成では、携帯端末２３が利用券Ｔの役割りをすることになるため、利用券Ｔを紛失する可能性を低減することができる。
【００２６】
また、実施形態では利用客が入口ゲート装置２１の同乗者人数入力キーを押下することとしているが、同乗者人数の入力方法はこれに限定されるものではない。例えば、駐車場の管理者が入口ゲート装置２１の同乗者人数入力キーを押下してもよいし、あるいは、入口ゲート装置２１で撮影した画像を解析して同乗者人数を自動的に求めてもよい。
【００２７】
また、前記の説明では言及しなかったが、駐車場管理装置１０のハードウェア構成は、例えば図１０に示すように、中央処理制御装置１２、ＲＯＭ（Read Only Memory）４１、ＲＡＭ（Random Access Memory）４２、及び入出力インタフェース４４がバス４３を介して接続された構成となっている。入出力インタフェース４４には、入力装置１１ａ、表示装置１１ｂ、通信制御装置４５、記憶装置４６、及びリムーバブルディスク４７が接続されている。中央処理制御装置１２は、データの計算や加工など一連の処理を実現する処理装置である。入力装置１１ａと表示装置１１ｂは、図２に示すコンソール装置１１に相当する。通信制御装置４５は、ＬＡＮカードやモデムなどである。記憶装置４６は、半導体記憶装置や磁気ディスク装置であり、図１に示す記憶部３６に相当する。記憶装置４６やＲＡＭ４２には、図２に示す各データ１３〜１７を記憶することができる。もちろん、図１０に示すハードウェア構成は単なる一例であり、これに限定されるものではない。例えば、入出力インタフェース４４にはリムーバブルディスク４７が接続されているが、このようなリムーバブルディスク４７を備えていない構成を採用してもよい。また、駐車場管理装置１０は、図１０に示すように一つのハードウェア上に構成されてもよいし、その機能や処理数に応じて複数のハードウェア上に構成されてもよい。
【００２８】
また、実施形態では駐車場管理システム１を例示したが、このような駐車場管理システム１が備える処理部をステップとする駐車場管理方法として実現したり、それらのステップをコンピュータに実行させる駐車場管理プログラムとして実現したりすることもできる。このようなプログラムは、ＣＤ−ＲＯＭ等の記録媒体やインターネット等の伝送媒体を介して配信することができるのはいうまでもない。
【００２９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３０】
１…駐車場管理システム
３１…画像認識部
３２…識別ＩＤ発行部
３３…人数入力部
３４…発券部
３５…識別ＩＤ読み取り部
３６…記憶部
３７…精算指示部
３８…駐車料金計算部
３９…精算部
Ｔ…利用券
【図１】
2012053820.tif 000003
【図２】
2012053820.tif 000004
【図３】
2012053820.tif 000005
【図４】
2012053820.tif 000006
【図５】
2012053820.tif 000007
【図６】
2012053820.tif 000008
【図７】
2012053820.tif 000009
【図８】
2012053820.tif 000010
【図９】
2012053820.tif 000011
【図１０】
2012053820.tif 000012